(57)【特許請求の範囲】
【請求項１】
粘着テープの端部に非粘着性外面を有する折返し部を形成するための折返し装置において、粘着テープ走行路へ非粘着面側から突き刺すように前進する進退自在なピンと、このピンが前進しているときに、ピンの前進箇所から粘着テープ走行路の長手方向へ延びる折返し予定領域を残すようにして、粘着テープ走行路へ進入する進退自在な切断具と、非粘着面側から折返し予定領域を通過して折返し予定領域の反対側となる折返し受け領域に向かって前進する進退自在な折畳具と、を備えたことを特徴とする粘着テープ端部の折返し装置。
【請求項２】
前記折畳具が前記折返し受け領域に向かって前進するときに、前記ピンが前記折返し受け領域へ向かって傾倒する請求項１記載の粘着テープ端部の折返し装置。
【請求項３】
請求項１又は２記載の粘着テープ端部の折返し装置を備え、前進するカートンにおけるフラップ接合領域に粘着テープを貼着するカートンシーラーであって、前記切断具及び前記ピンは、前進するカートンへ押圧状態で接触できる先端部を有する揺動自在な揺動部材に設けられ、この先端部が前進するカートンから外れて押圧方向へ揺動するときに、前記粘着テープ走行路に前記ピンを突き刺し、その後に前記粘着テープ走行路へ前記切断具を進入させるようにしたことを特徴とするカートンシーラー。
【発明の詳細な説明】
【０００１】
【発明の属する技術分野】
本発明は、切断した粘着テープの端部に非粘着性外面を有する折返し部を形成するための折返し装置及びこの折返し装置を備えたカートンシーラーに関するものである。
【０００２】
【従来の技術】
段ボール製カートンの梱包方法としては、開口したカートンの内部に梱包物を収納したの後に、フラップを折り倒すと共にカートンシーラーを用いてフラップどうしを粘着テープで接合してシールすることがある。図１５は、フラップＡａ，Ａａどうしを粘着テープＴで接合してシールしたカートンＡを示すものである。この場合の粘着テープＴは、粘着面の全体がカートンＡの表面に粘着した状態となる。
【０００３】
【発明が解決しようとする課題】
カートンＡの開封作業をカッターを用いることなく人手で行うときには、粘着テープＴの一方の端部Ｔａを爪などで一旦剥がし起こし、その部分を指先で摘んで粘着テープＴを引き剥がす必要がある。しかし、端部Ｔａの剥がし起こしは、粘着テープＴの粘着力が強いため、非常に難く短時間にできない問題がある。この問題は、カートンＡの開封作業以外に、紙袋の口等をシールする粘着テープを剥がす場合にも生じるものである。
【０００４】
そこで、本発明は、上記問題を解決するために、粘着テープの端部を爪などで剥がし起こす必要がないように、粘着テープの端部に非粘着性外面を有する折返し部を形成し、この折返し部を摘んで粘着テープを引き剥がすことができるようにするために、粘着テープ端部の折返し装置及びカートンシーラーの提供を目的とする。
【０００９】
【課題を解決するための手段】
粘着テープの端部に非粘着性外面を有する折返し部を形成できるようにするために請求項１記載の本発明が採用した手段は、粘着テープの端部に非粘着性外面を有する折返し部を形成するための折返し装置において、粘着テープ走行路へ非粘着面側から突き刺すように前進する進退自在なピンと、このピンが前進しているときに、ピンの前進箇所から粘着テープ走行路の長手方向へ延びる折返し予定領域を残すようにして、粘着テープ走行路へ進入する進退自在な切断具と、非粘着面側から折返し予定領域を通過して折返し予定領域の反対側となる折返し受け領域に向かって前進する進退自在な折畳具と、を備えたことを特徴とする粘着テープ端部の折返し装置である。
【００１０】
請求項１記載の本発明にあっては、粘着テープ走行路へ導かれた粘着テープに非粘着面側からピンを突き刺し、このピンの突き刺さった箇所からテープ長手方向へ延びる折返し予定部分（粘着テープ走行路の折返し予定領域に相当する部分）を残すようにして粘着テープを切断具で切断し、突き刺さったピンで粘着テープを保持しつつ、折畳具で折返し予定部分を折返し受け部分（粘着テープ走行路の折返し受け領域に相当する部分）へ折り返して粘着面どうしを貼り合わせ、粘着テープからピンを引き抜くことにより折返し部を形成することができる。
【００１１】
粘着テープの折返し予定部分の折り返し及びピンの引き抜きを円滑にするために請求項２記載の本発明が採用した手段は、前記折畳具が前記折返し受け領域に向かって前進するときに、前記ピンが前記折返し受け領域へ向かって傾倒する請求項１記載の粘着テープ端部の折返し装置である。
【００１２】
請求項２記載の本発明にあっては、ピンを折返し受け領域へ向かって傾倒しながら、粘着テープの折返し予定部分を折畳具で折り返すため、折返し予定部分をピンに突き刺せることなく円滑に折り返すことができると共に、貼り合わせたときにピンがテープの長手方向に沿う姿勢となるため、ピンの引き抜きが円滑にできる。
【００１３】
カートンに貼着する粘着テープの端部に非粘着性外面を有する折返し部を形成できるようにするために請求項３記載の本発明が採用した手段は、請求項１又は２記載の粘着テープ端部の折返し装置を備え、前進するカートンにおけるフラップ接合領域に粘着テープを貼着するカートンシーラーであって、前記切断具及び前記ピンは、前進するカートンへ押圧状態で接触できる先端部を有する揺動自在な揺動部材に設けられ、この先端部が前進するカートンから外れて押圧方向へ揺動するときに、前記粘着テープ走行路に前記ピンを突き刺し、その後に前記粘着テープ走行路へ前記切断具を進入させるようにしたことを特徴とするカートンシーラーである。
【００１４】
請求項３記載の本発明にあっては、カートンに貼着するために粘着テープ走行路へ導かれた粘着テープに非粘着面側からピンを突き刺し、このピンの突き刺さった箇所からテープ長手方向へ延びる折返し予定部分を残すようにして粘着テープを切断具で切断し、突き刺さったピンで粘着テープを保持しつつ折返し予定部分を折畳具で折返し受け部分へ折り返して粘着面どうしを貼り合わせ、粘着テープからピンを引き抜くことにより折返し部を形成することができる。
【００１５】
【発明の実施の形態】
以下、本発明に係る粘着テープ端部の折返し装置及びカートンシーラーを図面に示す実施の形態に基づいて説明する。
【００１６】
（第１の実施の形態）
図１乃至図１１は、本発明の第１の実施の形態を示すものである。図１及び図２は、折返し装置を備えたカートンシーラーの実施の形態を示すものであり、図１はカートンから前後の押さえローラが外れた状態を示す右側面図、図２は平面図である。本実施形態に係るカートンシーラー１は、後方から前方へ向う矢符Ｂ方向へ前進するカートンＡにおける折り倒されたフラップＡａ，Ａａどうしを粘着テープＴで接合してシールするものである。カートンシーラー１は、カートンＡを後方から前方へ前進させるためのベルトコンベア等からなるカートン搬送用コンベア２と、巻かれた粘着テープロール３を巻き戻して粘着テープＴを供給する粘着テープ供給部４と、この粘着テープ供給部４からの粘着テープＴを、前進するカートンＡにおける前面のリード領域Ａｂからカートン進行方向と逆方向に延びるフラップ接合領域Ａｃを経て後面のテール領域Ａｄに至る貼着領域に貼着させるテープ粘着装置５と、カートンＡに貼着される粘着テープＴの切断した後端側に折返し部Ｔｅ（図６参照）を形成するための折返し装置７とを備えている。この折返し装置７は、切断する粘着テープＴを保持するたのピン３６と、粘着テープＴを切断するための切断具３１と、粘着テープＴの切断したテール部分Ｔｄに非粘着性外面を有する折返し部Ｔｅを形成するための折畳具３７とを備えている。
【００１７】
前記粘着テープロール３は、粘着面が内面となり、非粘着面が外面となるようにロール状に巻かれている。前記粘着テープ供給部４は、粘着テープロール３を巻き戻し可能に支持するテープ支持具１０と、巻き戻された粘着テープＴを案内するガイドローラ１１，１２とを備えている。
【００１８】
前記テープ粘着装置５は、矢符Ｂ方向へ前進するカートンＡのリード領域Ａｂに粘着テープＴのリード部分Ｔｂの粘着面を押し当て、続いてカートンＡの前進に伴ってフラップ接合領域Ａｃに粘着テープＴの粘着面を押し当てる後押えローラ８と、この後押えローラ８より前方側に配置され、前記切断具３１によつて切断された粘着テープＴのテール部分Ｔｄの粘着面を、カートンＡのテール領域Ａｄに押し当てる前押えローラ９とを備えている。後押えローラ８を有する後押え機構１５は、左右の固定板１３，１４に左右の揺動板１７，１８が支軸１６で揺動自在に支持されると共に、揺動板１７，１８の両端部分に後押えローラ８及びガイドローラ１９が回転自在に軸支され、支軸１６にガイドローラ２０が同軸状に回転自在に軸支されている。前押えローラ９を有する前押え機構２１は、左右の固定板１３，１４に左右の揺動板２３，２４が支軸２２で揺動自在に支持されると共に、揺動板２３，２４の下端部分に前押えローラ９が回転自在に軸支されている。
【００１９】
この後押え機構１５及び前押え機構２１は、両機構の揺動板１８，２４どうしが連結棒２６で連結されていると共に、前押え機構２１の揺動板２４と固定板１４との間に引っ張り用スプリング２７が張架されており、後押えローラ８及び前押えローラ９を連動して昇降させるようにしてある。後押えローラ８及び前押えローラ９は、両方がカートンＡに接触していない降下した状態では、スプリング２７の引張力により、前進するカートンＡの上面より下方のレベルに位置するようなっており、前進するカートンＡにローラの一方が接触する状態では、スプリング２７に引張弾性力を貯えさせながら上昇してカートンＡの上面を押圧するようになる（図３〜５参照）。
【００２０】
前記折返し装置７は、図１及び図２に示す如く、カートンＡの進行方向へ延びる揺動部材２８に取着されて、後押えローラ８と前押えローラ９との間に配置されている。揺動部材２８は、前記固定板１３に上下揺動自在に軸支２７されると共に、前記前押え機構２１の揺動板２３と伸縮自在な引張具２９で連結されており、後押えローラ８及び前押えローラ９が降下しているとき（図１参照）には、自由に昇降できるフリー状態となり、後押えローラ８及び前押えローラ９が上昇しているとき（図３〜５参照）には、引張具２９の引張力により先端部２８ａを降下させる方向へ付勢する押圧状態となるようにしてある。すなちわ、揺動部材２８は、図３に示すように後押えローラ８及び前押えローラ９が上昇している状態で、矢符Ｂ方向へ前進するカートンＡに先端部２８ａが乗り上げて接触すると、引張具２９の引張力に抗して乗り上げた先端部２８ａでカートンＡの上面を押圧し、図４に示すように矢符Ｂ方向へ前進するカートンＡの上面から先端２８ａが外れると、引張具２９の引張力により先端部２８ａを降下させる。カートンＡに粘着テープＴを貼着している状態で揺動部材２８の先端部２８ａが降下すると、前記折返し装置７は、揺動部材２８の降下する途中で、粘着テープＴを切断して非粘着性外面を有する折返し部Ｔｅを形成する（図５及び図６参照）。
【００２１】
前記折返し装置７は、拡大して示す図７乃至図１１に示す如く、粘着テープ走行路Ｒ（カートンＡに貼着するための粘着テープＴが通過する通路）へ非粘着面側から突き刺すように前進する進退自在なピン３６と、図９に示すように該ピン３６が前進しているときに、ピン３６の前進箇所（突き刺さった箇所）から粘着テープ走行路Ｒの後方へ延びる折返し予定領域Ｒａを残すようにして、粘着テープ走行路Ｒへ切断刃３４が進入する進退自在な切断具３１と、非粘着面側から折返し予定領域Ｒａを通過して折返し予定領域Ｒａの反対側となる折返し受け領域Ｒｂに向かって前進する進退自在な折畳具３７とを備えている。折返し装置７は、揺動部材２８の先端部２８ａがカートンＡの上面から外れて降下するとき、粘着テープ走行路Ｒにピン３６を突き刺す動作（図９参照）を、粘着テープ走行路Ｒへ切断刃３４を進入させる切断動作（図１０参照）より先行させるようにしてある。折畳具３７は、前進して挟み位置へ移動したとき（図１０参照）、ピン３６を侵入させるための切欠部３７ａ（図８参照）を形成してある。ピン３６は、テープＴの幅寸法に応じて、複数本を設けることもある。
【００２２】
前記切断具３１は、図７に示す如く、揺動部材２８に取着されたホルダー３３と、ホルダー３３に交換可能に保持された切断刃３４とを備え、切断刃３４の刃先３４ａの高さ位置を調節できるようにしてある。
【００２３】
前記折返し装置７は、図７及び図８に示す如く、前記ピン３６及び折畳具３７を一体化することで、その取扱を容易にする共に両者が確実に動作するようにしてある。すなわち、折返し装置７は、揺動部材２８の先端側に取着されたブラケット３８と、ブラケット３８にベアリング３９，３９を介して軸支された左右方向に延びる中空の外軸４０と、外軸４０に取着された折畳具３７と、外軸４０に回転自在に挿入された内軸４１と、外軸４０の挿通孔４０ａ（図８参照）を貫通して内軸４１に根元側が取着された前記ピン３６と、内軸４１の突出部に外嵌して両端が内軸４１と外軸４０に連結された蔓巻きバネ４２と、外軸４０に外嵌して両端がブラケット３８と外軸４０に連結された姿勢維持用蔓巻きバネ４３と、外軸４０の端部に取着された被案内片４４と、内軸４１の端部に取着された被案内片４５と、前記固定板１３に取着されて両被案内片４４，４５を案内する案内片４６とを備えている。
【００２４】
前記両被案内片４４，４５と案内片４６とは、次の動作が得られる関係にある。図７に示すようにカートンＡの上面に揺動部材２８の先端２８を押圧させているとき、並びに、図９に示すようにカートンＡの上面から揺動部材２８の先端２８ａが外れて、粘着テープ走行路Ｒの粘着テープＴにピン３６が突き刺さった後で且つ粘着テープＴを切断する前のときには、両被案内片４４，４５が案内片４６に案内されて、ピン３６を突き刺し易い起立又は若干傾斜した状態にすると共に、折畳具３７をピン３６から離した後退状態となるようにしてある。ピン突き刺し状態の揺動部材２８が、更に降下して切断刃３４で粘着テープＴを切断するレベルに至ると、図１０に示す如く、被案内片４４は案内片４６の段部４６ａから外れることになる。このとき、折畳具３７は、バネ４２の反発弾性力で揺動して、粘着テープＴの折返し予定部分Ｔｆをピン３６とで挟む。この挟み状態の揺動部材２８が更に若干降下すると、被案内片４５は、案内片４６の案内から外れて、ピン３６を揺動自在な状態にする。案内片４６の下端４６ｂから外れた被案内片４５は、ピン３６に粘着テープＴの引張力が加わらない限り、姿勢維持用蔓巻きバネ４３により、被案内片４５に再度案内される姿勢を維持する。
【００２５】
カートンＡの矢符Ｂ方向への前進に伴い粘着テープＴのテール部分Ｔｄが前方へ移動すると、前記ピン３６は、粘着テープＴで前方へ引っ張られて、粘着テープＴの折返し予定部分Ｔｆを挟む折畳具３７と共に、図１１に示す矢符Ｅ方向へ揺動して前方へ傾倒する。折畳具３７は、この傾倒に伴い、粘着テープＴの折返し予定部分Ｔｆを折返して折返し受け部分Ｔｇに貼着して、折返し部Ｔｅを形成する。粘着テープＴの折返し部Ｔｅは、カートンＡと共に更に前進すると、ピン３６から引き抜かれる。粘着テープＴの折返し部Ｔｅが分離したピン３６及び折畳具３７は、姿勢維持用蔓巻きバネ４３の反発弾性力により逆回転方向（矢符Ｅ方向と逆方向）へ揺動して、被案内片４５を案内片４６に再度案内させる姿勢に復帰する。この姿勢で揺動部材２８が上昇すると、図７に示すように、両被案内片４４，４５は、案内片４６に再度案内されることになり、バネ４２の付勢力に抗して折畳具３７を後退方向へ揺動させる。なお、被案内片４５を前記姿勢に復帰させるためのバネ４３は、図示は省略したが、戻し用ウエイトに置換することも可能である。置換する戻し用ウエイトは、外軸４０の下方に取着されて、その重量で被案内片４５を回転させて、案内片４６に再度案内させる姿勢に被案内片４５を復帰させるものである。
【００２６】
次に、前記カートンシーラー１を用いて粘着テープＴのテール部分Ｔｄに非粘着性外面を有する折返し部Ｔｅを形成するための折返し方法をカートンＡのシール手順に従って説明する。カートンシーラー１は、図１に示す如く、粘着テープローラ３から巻き戻された粘着テープＴの先端が、降下状態の後押えローラ８のまで導かれて準備される。フラップＡａ，Ａａ（図２参照）が折り倒されたカートンＡが搬送用コンベア２により矢符Ｂ方向へ前進すると、粘着テープＴのリード部分Ｔｂは、前進するカートンＡにおける前面のリード領域Ａｂに後押えローラ８で押さえ付けられて貼着する。カートンＡが前進すると、後押えローラ８は、図３に示す如く、カートンＡの上面のフラップ接合領域Ａｃに乗り上げて、巻き戻されて送られている粘着テープＴをフラップ接合領域Ａｃに貼着する。揺動部材２８の先端２８ａ及び前押えローラ９は、カートンＡの前進に伴い、カートンＡの上面に乗り上げて押圧する。
【００２７】
カートンＡが更に前進して、揺動部材２８の先端２８ａがカートンＡの上面から外れると、揺動部材２８に設けられている折返し装置７は、図４乃至図６に示す如く、カートンＡで引っ張られながら後押えローラ８に至る粘着テープＴの途中を切断具３１で切断すると共に、切断して得られたテール部分Ｔｄの先端に、非粘着性外面を有する折返し部Ｔｅを折畳具３７で形成する。すなわち、折返し装置７は、揺動部材２８の先端部２８ａがカートンＡの上面から外れて、図７に示す状態から図９に示す状態へ降下すると、粘着テープＴに非粘着面側からピン３６を突き刺す。折返し装置７は、更に揺動部材２８が降下すると、このピン３６の突き刺さった箇所から後方向へ延びる折返し予定部分Ｔｆを残すようにして粘着テープＴを切断具３１の切断刃３４で切断する。折返し装置７は、揺動部材２８が最下位置まで降下すると、図１０に示す如く、突き刺さったピン３６で粘着テープＴを保持しつつ、挟み位置へ揺動する折畳具３７で折返し予定部分Ｔｆを折り返して、折畳具３７とピン３６とで挟持する。
【００２８】
折返し装置７は、カートンＡの前進に伴い粘着テープＴのテール部分Ｔｄが前方へ移動すると、粘着テープＴの折返し予定部分Ｔｆを挟むピン３６及び折畳具３７が前方へ移動する粘着テープＴで引っ張られて、図１１に示すように前方へ傾倒し、これにより粘着テープＴの折返し予定部分Ｔｆを折返して折返し受け部分Ｔｇに貼着して、折返し部Ｔｅを形成する。そして、折返し部Ｔｅは、カートンＡと共に更に前進すると、ピン３６から引き抜かれる。
【００２９】
粘着テープＴのテール部分Ｔｄは、図６に示す如く、カートンＡの前進に伴いカートン上面から外れた前押えローラ９で、カートンＡのテール領域Ａｄに押え付けられて貼着する（図１の二点鎖線参照）。これにより、カートンＡのシール作業は終了する。なお、貼着した粘着テープＴを開封するとき、作業者は、テール部分Ｔｄに形成されている折返し部Ｔｅを摘んで、容易に引き剥がすことができる。
【００３０】
（第２の実施の形態）
図１２は、第２の実施の態様のカートンシーラー５１の要部を示す右側面図である。折返し装置５７は、ピン３６及び折畳具３７の各々が、起立した後退位置（図１２参照）から前方へ傾倒した前進位置（図１４参照）の間を揺動できるように設けられると共に、ピン３６及び折畳具３７の各々が、バネ（図示略）で後退位置へ付勢させられ、更に、外軸４０に一端側を巻き付けたロープ５８の他端５８ａがストッパ５９で停止するようになっている。カートンシーラー５１においる折返し装置５７以外の構成は、前記カートンシーラー１と実質的に同一である。
【００３１】
次に、前記カートンシーラー５１を用いて、粘着テープＴのテール部分Ｔｄに非粘着性外面を有する折返し部Ｔｅを形成する折返し方法を説明する。カートンシーラー５１は、図１２に示す如く、前進するカートンＡのリード領域Ａｂ及びフラップ接合領域Ａｃに粘着テープＴを貼着している状態で、揺動部材２８の先端２８ａがカートンＡの上面から外れて降下すると、図１３に示す如く、粘着テープＴに非粘着面側からピン３６を突き刺した後に、粘着テープＴを切断具３１で切断する。この状態では、ロープ５８は外軸４０を回転させることはなく、ピン３６及び折畳具３７の各々は、起立した後退状態を維持している。
【００３２】
折返し装置５７は、更に揺動部材２８が最下位置まで降下すると、図１４に示す如く、ストッパ５９に他端５８ａを当接したロープ５８の引張力で外軸４０を矢符Ｅ方向へ回転させることにより、ピン３６及び折畳具３７の各々が前方へ傾倒して、突き刺さったピン３６で粘着テープＴを保持しつつ、揺動する折畳具３７で折返し予定部分Ｔｆを折り返して折返し受け部分Ｔｇに貼着させ、折返し部Ｔｅを形成する。折返し部Ｔｅが分離されたピン３６及び折畳具３７は、揺動部材２８が上昇すると、バネに貯えられている反発弾性力により矢符Ｅと逆方向へ回転し、図１２に示す後退位置で停止する。このとき、ロープ５８の一端側は、バネの反発弾性力により逆方向へ回転する外軸４０に巻き付けられる。ロープ５８は、その他端がバネ６０で引っ張られ、弛まないようになっている。
【００３３】
（その他の実施の形態）
前記折返し装置７，５７は、上下反転した状態でカートン通路の下方に配置され、又は横に倒した状態でカートン通路の左右外側に配置され、カートンの下方又は側部のフラップどうしを粘着テープで接合できるようにすることもある。また、前記折返し装置７，５７は、ピン３６及び折畳具３７を切断具３１より後方側（テープ走行路Ｒの上流側）に配置し、ピン３６及び折畳具３７を後方へ傾倒させるように構成して、粘着テープＴのリード部分Ｔｂに折返し部Ｔｅを形成させるようにすることもある。
【００３４】
更に、前記折返し装置７，５７は、ピン３６及び折畳具３７を前方へ傾倒させるようにしてあるが、何らこれに限定するものではなく、折畳具３７のみを前方へ傾倒させるようにし、ピン３６を傾倒させることなく粘着テープＴに突き刺した起立状態のままとすることもある。前記折返し装置７，５７は、カートンシーラー以外に、テープカツター等に備えることも可能である。この場合、揺動部材２８は、エアーシリンダーや足踏み機構で昇降させたり、他の装置の機構と連動させて昇降させ。
【００３５】
【発明の効果】
請求項１乃至３記載の本発明は、粘着テープを突き刺したピンで保持しながら粘着テープの端部を折り返すことができるため、非粘着性外面を有する折返し部を確実に形成することができる。
【００３６】
請求項２記載の本発明は、ピンを折返し受け領域へ向かって傾倒させることにより、折返し予定部分をピンに突き刺させることなく円滑に折り返すことができると共に、ピンの引き抜きが円滑にできる。
【図面の簡単な説明】
【図１】本発明の第１の実施の形態を示すものであって、カートンから前後の押えローラが外れた状態を示す右側面図である。
【図２】同実施の形態において、カートンから前後の押さえローラが外れた状態を示す平面図である。
【図３】同実施の形態において、カートンのフラップ接合領域に粘着テープを前後の押さえローラで押圧している状態を示す右側面図である。
【図４】同実施の形態において、折返し装置を備えた揺動部材の先端がカートンから外れ、粘着テープにピンを突き刺した状態を示す右側面図である。
【図５】同実施の形態において、粘着テープを切断している状態を示す右側面図である。
【図６】同実施の形態において、粘着テープの折返し部が形成されたテール部分をカートンに貼着しようとしている状態を示す右側面図である。
【図７】同実施の形態の主要部である折返し装置を示すものであって、カートンの上面に揺動部材の先端を押圧させている状態を示す右側面図である。
【図８】図７のＦ−Ｆ線で部分断面した平面図である。
【図９】同実施の形態の主要部である折返し装置を示すものであって、揺動部材の先端がカートンから外れ、粘着テープにピンを突き刺した状態を示す右側面図である。
【図１０】同実施の形態の主要部である折返し装置を示すものであって、粘着テープを切断している状態を示す右側面図である。
【図１１】同実施の形態の主要部である折返し装置を示すものであって、粘着テープの折返し部を形成した状態を示す右側面図である。
【図１２】本発明の第２の実施の形態における主要部である折返し装置を示すものであって、カートンの上面に揺動部材の先端を押圧させている状態を示す右側面図である。
【図１３】同実施の形態の主要部である折返し装置を示すものであって、揺動部材の先端がカートンから外れ、粘着テープにピンを突き刺した状態を示す右側面図である。
【図１４】同実施の形態の主要部である折返し装置を示すものであって、粘着テープの折返し部を形成した状態を示す右側面図である。
【図１５】カートンの折り倒したフラップどうしを粘着テープで接合してシールした状態を示す斜視図てある。
【符号の説明】
Ａ…カートン、Ｔ…粘着テープ、Ｔｆ…折返し予定部分、Ｔｇ…折返し受け部分、Ｔｅ…折返し部、Ｒ…粘着テープ走行路、Ｒａ…折返し予定領域、Ｒｂ…折返し受け領域、７，５７…折返し装置、３１…切断具、３６…ピン、３７…折畳具
【図１】
0003588717.tif 000002
【図２】
0003588717.tif 000003
【図３】
0003588717.tif 000004
【図４】
0003588717.tif 000005
【図５】
0003588717.tif 000006
【図６】
0003588717.tif 000007
【図７】
0003588717.tif 000008
【図８】
0003588717.tif 000009
【図９】
0003588717.tif 000010
【図１０】
0003588717.tif 000011
【図１１】
0003588717.tif 000012
【図１２】
0003588717.tif 000013
【図１３】
0003588717.tif 000014
【図１４】
0003588717.tif 000015
【図１５】
0003588717.tif 000016